【手続補正書】
【提出日】平成26年7月3日(2014.7.3)
【手続補正１】
【補正対象書類名】明細書
【補正対象項目名】０００２
【補正方法】変更
【補正の内容】
【０００２】
従来、ズームレンズ搭載のデジタルコンパクトカメラ（撮像装置）にあっては、２８〜３５ｍｍ（フィルムサイズ３５ｍｍ換算、以下、同様）を広角端（Ｗｉｄｅ端）側としたレンズが多く存在し、撮影起動時にはズームレンズの初期位置として、その広角端側（広角側）に設定されていることが一般的である。一方、近年、ズームレンズの広角化が進んでいるが、この広角化はユーザにとって撮影用途が広がって望ましいことである反面、使用頻度の高いズーム位置は、広角側よりも望遠端（Ｔｅｌｅ端）寄りである場合が多いのが実情であるが、撮影起動時にズームレンズが広角側に設定されていると、広角側から望遠端寄りに変更する操作が必要となり、ズームレバーの操作量が多くなり、撮影チャンスを逃したり、操作が面倒であったり、という問題があった。
そこで、従来ではそのような対策として、特許文献１のように電源オン時にはズームレンズを広角端と望遠端の間に設定するようにした技術が開示されている。
【手続補正２】
【補正対象書類名】明細書
【補正対象項目名】０００４
【補正方法】変更
【補正の内容】
【０００４】
しかしながら、上述した特許文献１の技術にあっては、ズームレンズを広角端と望遠端の間に設定することができるのは、電源オン時に限られ、電源オン後にあってはズームレンズを広角側から望遠側に調整したり、望遠側から広角側に調整したりしなければならない場合も多くなることがあり、撮影チャンスを逃したり、操作が面倒であったり、という問題が依然として残ってしまう。
【手続補正３】
【補正対象書類名】特許請求の範囲
【補正対象項目名】全文
【補正方法】変更
【補正の内容】
【特許請求の範囲】
【請求項１】
指定された撮影条件で撮影動作を行う撮像装置であって、
当該撮像装置の所定位置に所定の操作部を備え、
前記撮影条件に含まれる所定の撮影パラメータの値を第１の値と第２の値の範囲内で任意に調整する撮影パラメータ調整手段と、
前記第１の値と第２の値の範囲内であって該第１の値と第２の値を含まない範囲内に前記撮影パラメータの基準値を規定する基準値規定手段と、
前記撮影パラメータ調整手段によって任意に調整されている撮影パラメータを、前記所定の操作部に対する１回の操作が行われた際に前記基準値に変更する変更手段と、
を備えたことを特徴とする撮像装置。
【請求項２】
前記所定の操作部は、前記変更手段により前記撮影パラメータを前記基準値に変更するための専用のボタンである、
ようにしたことを特徴とする請求項１に記載の撮像装置。
【請求項３】
前記変更手段は、更に電源オン操作又は現在のモードを前記撮影動作を実行可能な撮影モードに移行させる撮影モード移行操作が行われた際に前記撮影パラメータを前記基準値に変更する、
ようにしたことを特徴とする請求項１に記載の撮像装置。
【請求項４】
前記基準値を設定する基準値設定手段を更に備える、
ようにしたことを特徴とする請求項１〜請求項３のいずれかに記載の撮像装置。
【請求項５】
前記基準値設定手段は、ユーザ操作によって任意に設定された基準値を記憶する、
ようにしたことを特徴とする請求項４に記載の撮像装置。
【請求項６】
撮影モードの中の複数の撮影モード種のうち、ユーザ操作によって任意の撮影モード種を選択する選択手段を更に備え、
前記基準値設定手段は、前記選択手段によって選択された撮影モード種毎に基準値を設定し、
前記変更手段は、前記撮影パラメータを前記基準値に変更する変更操作が行われた際に、前記撮影パラメータをそのときに選択されている撮影モード種に対応して設定されている基準値に変更する、
ようにしたことを特徴とする請求項４に記載の撮像装置。
【請求項７】
ライブビュー画像を解析する解析手段と、
撮影モードの中の複数の撮影モード種のうち、前記解析手段により解析された解析結果に応じて撮影モード種を設定する撮影モード種設定手段と、
を更に備え、
前記基準値設定手段は、前記撮影モード種設定手段によって設定された撮影モード種に応じて基準値を設定し、
前記変更手段は、前記撮影パラメータを前記基準値に変更する変更操作が行われた際に、前記撮影パラメータをそのときに設定されている撮影モード種に対応して設定されている基準値に変更する、
ようにしたことを特徴とする請求項４に記載の撮像装置。
【請求項８】
撮影用の光学系部品を駆動する駆動手段を更に備え、
前記変更手段は、前記撮影パラメータを前記基準値への変更に応じて前記駆動手段を制御することにより前記光学系部品を駆動させる、
ようにしたことを特徴とする請求項１〜請求項７のいずれかに記載の撮像装置。
【請求項９】
前記所定の撮影パラメータは、ズーム値、フォーカス値、絞り値のうちの一つ又はその組合せである、
ことを特徴とする請求項８に記載の撮像装置。
【請求項１０】
前記撮影パラメータ調整手段は、ユーザによる操作毎に所定量ずつ撮影パラメータの値を変化させ、
前記変更手段は、ユーザによる１回の操作で直接的に前記基準値に撮影パラメータを変更する、
ようにしたことを特徴とする請求項１〜請求項９のいずれかに記載の撮像装置。
【請求項１１】
ズームレンズの焦点距離を撮影条件としてズーム撮影を行う撮像装置であって、
前記ズームレンズの焦点距離を広角端と望遠端との範囲内で設定するズーム設定手段と、
前記広角端から所定量だけ望遠側に寄った焦点距離を、ズーム倍率を算出する際の基準値として規定する基準値規定手段と、
前記ズーム設定手段により設定される焦点距離と前記基準値としての焦点距離との比率をズーム倍率として表示するズーム倍率表示手段と、
を備えたことを特徴とする撮像装置。
【請求項１２】
前記ズーム倍率表示手段は、前記ズーム設定手段により設定される焦点距離が前記基準値よりも短い場合は、前記焦点距離が前記基準値よりも長い場合とは異なる表示形態で、前記比率を表示する、
ようにしたことを特徴とする請求項１１に記載の撮像装置。
【請求項１３】
指定された撮影条件に含まれる所定の撮影パラメータの値を第１の値と第２の値の範囲内で任意に調整するステップと、
前記第１の値と第２の値の範囲内であって該第１の値と第２の値を含まない範囲内に前記撮影パラメータの基準値が規定されている場合に、前記任意に調整されている撮影パラメータを、所定の操作部に対する１回の操作が行われた際に前記基準値に変更するステップと、
を含むことを特徴とする撮像方法。
【請求項１４】
コンピュータに対して、
指定された撮影条件に含まれる所定の撮影パラメータの値を第１の値と第２の値の範囲内で任意に調整する機能と、
前記第１の値と第２の値の範囲内であって該第１の値と第２の値を含まない範囲内に前記撮影パラメータの基準値を規定する機能と、
前記任意に調整されている撮影パラメータを、所定の操作部に対する１回の操作が行われた際に前記基準値に変更する機能と、
を実現させるためのプログラム。
【請求項１５】
ズームレンズの焦点距離を広角端と望遠端との範囲内で設定するステップと、
前記広角端から所定量だけ望遠側に寄った焦点距離を、ズーム倍率を算出する際の基準値として規定し、前記設定される焦点距離と前記基準値としての焦点距離との比率をズーム倍率として表示するステップと、
を含むことを特徴とする撮像方法。
【請求項１６】
コンピュータに対して、
ズームレンズの焦点距離を広角端と望遠端との範囲内で設定する機能と、
前記広角端から所定量だけ望遠側に寄った焦点距離を、ズーム倍率を算出する際の基準値として規定し、前記設定される焦点距離と前記基準値としての焦点距離との比率をズーム倍率として表示する機能と、
を実現させるためのプログラム。